(57)【要約】【課題】ビームスポット径の変動を低減し、濃度むらを低減できる光走査装置、画像形成装置を得る。【解決手段】複数の光源１からの光束を偏向走査する偏向手段６、偏向走査された複数の光束を光束ごとに異なる被走査面に導く走査光学系７，８を有する光走査装置。複数の光源１と各光源に対応する偏向手段６との間に、カップリング光学系２と、カップリング光学系２からの光束を少なくとも副走査方向に制限する開口絞り３と、開口絞り３から出射した光束を少なくとも副走査方向に集光する第１光学系４と、を有し、開口絞り３は第１光学系４の副走査方向の前側焦点位置よりも光源１に近い側に配備され、第１光学系４の副走査方向の焦点距離をｆ１、開口絞りと第１光学系の前側主点位置の距離をＬ１としたとき、  ｆ１≦Ｌ１＜２・ｆ１  の条件式を満足する。【選択図】図１
2006259574.tif 000002
【特許請求の範囲】
【請求項１】
複数の光源と、複数の光源からの光束を偏向走査する偏向手段と、偏向走査された複数の光束を光束ごとに異なる被走査面に導く走査光学系とを有する光走査装置において、
複数の光源と各光源に対応する偏向手段との間に、各光源からの光束をカップリングするカップリング光学系と、カップリング光学系からの光束を少なくとも副走査方向に制限する開口絞りと、開口絞りから出射した光束を少なくとも副走査方向に集光する第１光学系と、を有し、
上記開口絞りは第１光学系の副走査方向の前側焦点位置よりも光源に近い側に配備され、
第１光学系の副走査方向の焦点距離をｆ１、開口絞りと第１光学系の前側主点位置の距離をＬ１としたとき、
ｆ１≦Ｌ１＜２・ｆ１
の条件式を満足することを特徴とする光走査装置。
【請求項２】
請求項１記載の光走査装置において、開口絞りから出射した光束は、開口絞りと直交する方向に対して角度を有することを特徴とする光走査装置。
【請求項３】
請求項１または２記載の光走査装置において、第１光学系は１枚のレンズからなり、このレンズの第１面の副走査方向のパワーは、第２面の副走査方向のパワーよりも大きいことを特徴とする光走査装置。
【請求項４】
電子写真プロセスを実行することによって画像を形成する画像形成装置であって、電子写真プロセス中の露光プロセスを実行する装置として、請求項１から３のいずれかに記載の光走査装置を用いたことを特徴とする多色対応の画像形成装置。
【発明の詳細な説明】
【技術分野】
【０００１】
本発明は、レーザプリンタ、デジタル複写機、普通紙複写機（ＰＰＦ）等に用いられる光走査装置およびこの光走査装置を用いた上記レーザプリンタ、デジタル複写機等の画像形成装置に関するものである。
【背景技術】
【０００２】
半導体レーザを光源とする光源装置から放射されるレーザ光をポリゴンミラーなどの偏向手段で偏向し、偏向光束を走査光学系によって被走査面に導くとともに光スポットとして集光させ、光スポットを被走査面上で走査する（この走査を「主走査」という）光走査装置が、レーザプリンタ、デジタル複写機等の画像形成装置に用いられている。上記半導体レーザから放射されるレーザ光は発散光であるため、上記光源装置は発散光をほぼ平行光束または緩やかな発散光束に変換して後続の光学系にカップリングするカップリングレンズを有している。光源装置と偏向手段との間には、レーザ光を副走査方向（偏向光束で描かれる扇形の面に直交する方向）にのみ収束させて偏向手段の偏向反射面近傍に主走査方向に長い線像を形成するシリンダレンズなどからなる第１光学系が配置されている。
【０００３】
近年の画像形成装置では高密度記録を実現することが望まれており、そのためには光走査装置において被走査面上での光スポットの径を安定させて、高精度の光走査を実現する必要がある。光スポット径を不安定にする原因の一つに、光源装置と偏向手段との間に配置されるアパーチャの存在がある。
【０００４】
上記アパーチャは、このアパーチャを通過するレーザ光束の周辺部を遮光するものであるため、アパーチャを通過レーザ光束はガウス型光強度分布の裾野の部分をカットされた形になり、被走査面上での光スポットの強度分布に、アパーチャの開口による回折の影響が現れる。そこで、アパーチャからシリンドリカルレンズなどからなる第１光学系までの距離を非常に長くすることにより、光束の結像位置と被走査面との間に多少のデフォーカスがあっても、副走査対応方向における光スポット径の変動を少なくすることが提案されている（例えば、特許文献１参照）。しかし、特許文献１には、次に述べるタンデム化に対しては言及していない。
【０００５】
近年、画像形成装置のカラー化が進んでおり、特に高速度でカラー画像を形成するのに有利なタンデム型の画像形成装置が開発されている。タンデム型の画像形成装置とは、イエロー（Ｙ）、マゼンタ（Ｍ）、シアン（Ｃ）、ブラック（Ｋ）の各基本となる色に対応した感光体を有し、各感光体に対応して電子写真プロセスを実行する装置を有し、各感光体に形成されたトナー像を転写媒体に重ねて転写してカラー画像を得る方式の画像形成装置である。タンデム型の画像形成装置に対応する光走査装置は、各色に対応して走査光学系を有しているので、各ステーション間の光学特性を均一にする必要がある。特に、経時変動、温度などの環境条件の変動による、光源ユニットの副走査方向の変位、チルトが発生すると、被走査面である感光体表面での光スポット経が劣化し、色味変動、階調性劣化等を招く。また、特にカラー画像においては濃度むらの低減が厳しく要求される。半導体レーザから出射した光がまたもどると、光源の光量がばらつき、濃度むらが発生する。
【０００６】
【特許文献１】特開平７−１１０４５１号公報
【発明の開示】
【発明が解決しようとする課題】
【０００７】
本発明は、以上説明した従来技術の問題点を解消するためになされたもので、
１．ビームスポット径の変動を低減すること、
２．濃度むらが低減できる光走査装置、画像形成装置を提供すること、
を目的とする。
【課題を解決するための手段】
【０００８】
本発明は、請求項１に記載されているように、複数の光源と、複数の光源からの光束を偏向走査する偏向手段と、偏向走査された複数の光束を光束ごとに異なる被走査面に導く走査光学系とを有する光走査装置において、複数の光源と各光源に対応する偏向手段との間に、各光源からの光束をカップリングするカップリング光学系と、カップリング光学系からの光束を少なくとも副走査方向に制限する開口絞りと、開口絞りから出射した光束を少なくとも副走査方向に集光する第１光学系と、を有し、上記開口絞りは第１光学系の副走査方向の前側焦点位置よりも光源に近い側に配備され、第１光学系の副走査方向の焦点距離をｆ１、開口絞りと第１光学系の前側主点位置の距離をＬ１としたとき、
ｆ１≦Ｌ１＜２・ｆ１
の条件式を満足することを最も主要な特徴とする。
【０００９】
請求項２記載の発明のように、開口絞りから出射した光束は、開口絞りと直交する方向に対して角度を有するようにするとよい。
請求項３記載の発明のように、第１光学系は１枚のレンズからなり、このレンズの第１面の副走査方向のパワーは、第２面の副走査方向のパワーよりも大きくするとよい。
【００１０】
請求項４記載の発明は、電子写真プロセスを実行することによって画像を形成する多色対応の画像形成装置であって、電子写真プロセス中の露光プロセスを実行する装置として、請求項１から３のいずれかに記載の光走査装置を用いたことを特徴とする。
【発明の効果】
【００１１】
本発明にかかる光走査装置によれば、光束のチルトを低減できるとともに、ゴースト光の影響を低減することができる。したがって、この光走査装置をいわゆるタンデム型の画像形成装置に適用すれば、ステーション間のビームスポット径のばらつきを低減することができるとともに、ビーム位置ずれを低減することができ、これによって、形成される画像の濃度むらを低減することができる。
請求項４記載の画像形成装置によれば、色味の変動が小さく、形成画像の粒状度が細かく、階調性が良好で、色ずれが小さく、高画質の画像を形成することができる画像形成装置を提供することができる。
【発明を実施するための最良の形態】
【００１２】
以下、本発明にかかる光走査装置および画像形成装置の実施例について図面を参照しながら説明する。
図１は、光走査装置の実施例を示す光学レイアウト図である。図１に示す実施例は、いわゆるタンデム型の画像形成装置に対応した光走査装置として構成されていて、画像形成ステーションごとに光学系が設けられ、光偏向手段としてのポリゴンミラー６は各光学系に共通となっている。以下、一つの画像形成ステーションに対応した光走査光学系を代表としてその構成を説明する。図１において、符号１は光源としての半導体レーザ、２はカップリングレンズ、３は開口絞り、４は副走査方向のみにパワーを有する第１光学系としてのシリンドリカルレンズ、５は防音ガラス、６は偏向手段としてのポリゴンミラー、７は第１走査レンズ、８は第２走査レンズ、９はミラー、１０Ｙはドラム型の感光体をそれぞれ示している。感光体の表面が被走査面となっている。感光体は上記感光体１０Ｙのほかにあと３個の感光体１０Ｍ，１０Ｃ，１０Ｋがあって、これら４個の感光体は平行に配置され、各感光体１０Ｙ，１０Ｍ，１０Ｃ，１０Ｋに対応して光走査するための光学系が配置されている。
【００１３】
図１に示すように、半導体レーザ１から出射した光束はカップリングレンズ２によってカップリングされ、開口絞り３によって光束の断面形状が成形され、少なくとも副走査方向の一部が遮蔽されて通過する。この光束はシリンドリカルレンズ４によって副走査方向にのみ集光され、ポリゴンミラー６の偏向反射面近傍で主走査方向に長い線像を形成する。ポリゴンミラー６が回転駆動されることにより上記光束はポリゴンミラー６により偏向され、偏向された光束は、第１走査レンズ７及び第２走査レンズ８を介し、被走査面としての感光体表面上に集光されて光スポットが形成され、なおかつ、この光スポットが略等速度的に感光体表面上を走査する。
図１に示す実施例は、上述したような構成が４つのステーション、すなわちイエロー、マゼンダ、シアン、ブラックに対応するステーションが配備され、なおかつ、各ステーションとも２ビームとなっている。また、図１に示す実施例は、ポリゴンミラー６の両側に、光源から感光体に至る光学系が２組ずつ、ほぼ対象に配置され、一つのポリゴンミラー６がすべての光学系に共用されるように構成されている。
【００１４】
図３は、上記光走査装置において本発明に特徴的な構成部分を示している。図２は、本発明に特徴的な構成部分と対比するために、従来の光走査装置の例を示している。図２（ａ）に示すように、従来、開口絞り３はシリンドリカルレンズ４の近傍に配備される。この構成によれば、図２（ｂ）に示すように、光源１とカップリングレンズ２が一体化された光源ユニットが、温度変動により副走査断面内でθだけチルトすると、ポリゴンミラー６の偏向反射面上での副走査方向の位置がずれ、なおかつポリゴンミラー６に向かう光束がチルトする。ポリゴンミラー６への入射光がチルトしていると、ポリゴンミラー６の偏向反射面により偏向反射される光束もチルトして走査レンズに入射する。走査レンズに副走査断面でチルトした光束が入るとビームスポット径太りが発生するだけでなく、走査線曲がりも発生し、この光走査装置をカラー画像形成装置に適用した場合は色ずれも発生する。
【００１５】
そこで、第１光学系としてのシリンドリカルレンズ４の副走査方向の焦点距離をｆ１、開口絞り３と上記第１光学系としてのシリンドリカルレンズ４の前側主点位置の距離をＬ１としたとき、図３に示すように、開口絞り３の配置位置を、ｆ１＝Ｌ１とする。かかる構成とすることにより、ポリゴンミラー６に向かう光束はチルトされず、すなわち副走査断面内でポリゴンミラー６の偏向反射面に対し垂直となり、被走査面におけるビームスポット径の太り、走査線曲がりを低減することができる。
【００１６】
図４はゴースト光に関する説明図である。図４において、光源側からシリンドリカルレンズ４に入射した光束の一部がシリンドリカルレンズ４で反射され、この光束が半導体レーザ１に戻ると、戻り光の影響で半導体レーザ１の出力がばらつく。したがって、半導体レーザ１への戻り光を低減して、できれば戻り光をゼロにするのが望ましい。しかるに、シリンドリカルレンズ４は副走査方向にパワーを有しているので、シリンドリカルレンズ４で反射され、開口絞り３を通過して半導体レーザ１へ向かう戻り光を低減するためには、開口絞り３とシリンドリカルレンズ４をできるだけ遠ざけたほうがよい。このゴースト光の低減と、ビームスポット径、走査線曲がり変動の低減を両立する範囲は、
ｆ１≦Ｌ１＜２・ｆ１
となる。
【００１７】
ちなみに、Ｌ１＝２・ｆ１のとき、図２（ａ）の状態、すなわちシリンドリカルレンズ４と開口絞り３が密接した状態の場合と同じだけ、ポリゴンミラー６への入射光束がチルトされる。ｆ１≦Ｌ１＜２・ｆ１のときは、ポリゴンミラー６に向かう光束のチルト量を低減することができる。
【００１８】
開口絞り３での反射光が半導体レーザ１に戻っても、前述の問題が発生する。図５に示すように、光源から開口絞り３に向かう光束に、開口絞り３の面に直角な方向に対して角度を持たせ、開口絞り３で反射されて光源側に戻る光束が、開口絞り３の面と直交する方向に対して角度を有するように構成する。こうすることにより、反射光が光源に戻ることを避けてゴースト光を除去することができる。図５に示す例では、主走査断面内で開口絞り３を傾けているが、副走査断面内で傾けてもよい。図６は、図５に示す例を２組の光源ユニットに適用した例を示す。２組の光源ユニットが、開口絞り３の面に直角な線に対し角度を持って対称形に配置され、開口絞り３による反射光が光源に戻ることを避けて、ゴースト光を除去することができる構成になっている。
【００１９】
カップリングレンズ２から出射した光束は略平行光束となるので、第1光学系を構成するシリンドリカルレンズ４の第１面の副走査方向のパワーを、第２面の副走査方向のパワーよりも大きくすることにより、ゴースト光の影響を低減できる。図4はこれを示している。シリンドリカルレンズ４の第１面の副走査方向の半径を小さくすることにより、この第１面による反射光が光軸から大きくそれ光源に戻ることを防止することができる。
【００２０】
以上説明した本発明に係る光走査装置は、画像形成装置に適用することができる。図７はその実施例を示す。この実施例は、いわゆるタンデム型の画像形成装置であって、イエロー（Ｙ）、マゼンタ（Ｍ）、シアン（Ｃ）、ブラック（Ｋ）の４つの色に対応した４つの画像形成ステーションを備えている。図７において、符号１０Ｙ，１０Ｍ，１０Ｃ，１０Ｋは感光体、２Ｙ，２Ｍ，２Ｃ，２Ｋは帯電器、５０は書き込みユニット、４Ｙ，４Ｍ，４Ｃ，４Ｋは現像器、５Ｙ，５Ｍ，５Ｃ，５Ｋはクリーニング手段、６Ｙ，６Ｍ，６Ｃ，６Ｋは転写用帯電手段、８０は転写ベルト、３０は定着手段をそれぞれ示している。図７において、感光体１０Ｙ，１０Ｍ，１０Ｃ，１０Ｋは時計方向に回転する。
【００２１】
以下、イエローの画像形成ステーションに代表させて画像形成装置の概要を説明する。ドラム状感光体１０Ｙの周囲には、電子写真プロセスを実行することによって画像を形成する部材ないしは装置が配置されている。具体的には、帯電部材２Ｙ、現像部材４Ｙ、転写用帯電手段６Ｙ、クリーニング装置５Ｙ、そして、書き込みユニット５０などがそれである。帯電部材２Ｙは感光体１０Ｙの表面を均一に帯電する。この帯電部材２Ｙと現像部材４Ｍの間の感光体１０Ｙの表面に、書き込みユニット５０により光束が照射されるとともに主走査方向に光走査され、感光体１０Ｙに静電潜像が形成されるようになっている。上記書き込みユニット５０として、図１乃至図６で説明した本発明に係る光走査装置を適用する。この書き込みユニット５０としての本発明に係る光走査装置が、電子写真プロセス中の露光プロセスを実行する。この露光プロセスでは、上記光走査装置の光源である半導体レーザから出射する光束が、形成しようとする画像信号によって変調されていて、感光体１０Ｙの表面には変調された画像信号に応じた静電潜像が形成される。上記静電潜像は、現像部材４Ｙにより感光体面上にトナーが供給されることによってトナー像が形成され可視化される。上記トナー像は、搬送ベルト８０によって１枚ずつ搬送される記録紙に、転写用帯電手段６Ｙにより転写される。
【００２２】
上記搬送ベルト８０は、並列的に配置された４つの感光体１０Ｙ，１０Ｍ，１０Ｃ，１０Ｋの下方にこれらの感光体にまたがって配置され、駆動されることによって上記感光体１０Ｙ，１０Ｍ，１０Ｃ，１０Ｋの配列方向に記録紙を搬送することができる。搬送ベルト８０による記録紙の搬送は、上記各感光体上のトナー像の形成タイミングに合わせて行われ、４つの感光体に形成された各色のトナー像が順次重ねて記録紙に転写され、記録紙にカラー画像が形成される。このカラー画像は定着手段３０により記録試に定着され、排紙トレイに排出される。
【００２３】
かかる画像形成装置の露光プロセスを実行する装置として、前述の本発明にかかる光走査装置を用いることにより、色味の変動が小さく、形成画像の粒状度が細かく、階調性が良好で、色ずれが小さく、高画質の画像を形成することができる画像形成装置を得ることができる。
【００２４】
次に、本発明に係る光走査装置の具体的な実施例を示す。
＜レンズデータ＞
・光源波長：６５５ｎｍ
・カップリングレンズ焦点距離：１５ｍｍ
・カップリング作用：コリメート作用
・ポリゴンミラー
偏向反射面数：６
内接円半径：１８ｍｍ
・光源側からのビームの入射角と走査光学系の光軸とがなす角：５８度
シリンドリカルレンズ４は第１面のみに副走査方向のパワーを有するレンズであり、焦点距離は７０ｍｍである。
開口絞り３とシリンドリカルレンズ４の第１面との距離（Ｌ１）は９２ｍｍであり、請求項１の条件式を満足する。また、開口絞り３は主走査断面内で光束に対し１．５５度（ｄｅｇ）傾いている。
開口絞り３は、主走査方向：５．２５ｍｍ、副走査方向：１．３４ｍｍの矩形形状をしている。
【００２５】
偏向器以降のレンズデータを以下に示す。
第１走査レンズ７の第１面及び第２走査レンズ８の両面は式（１）、（２）で表現される。
・主走査方向非円弧式
主走査方向の面内における面形状は非円弧形状をなしており、光軸における主走査面内の近軸曲率半径をＲｍ，光軸からの主走査方向の距離をＹ，円錐常数をＫ，高次の係数をＡ１，Ａ２，Ａ３，Ａ４，Ａ５，Ａ６，・・とするとき、光軸方向のデプスをＸとして次の多項式で表している。
Ｘ＝（Ｙ＾２／Ｒｍ）／［１＋√｛１−（１＋Ｋ）（Ｙ／Ｒｍ）＾２｝
＋Ａ１・Ｙ＋Ａ２・Ｙ＾２＋Ａ３・Ｙ＾３＋Ａ４・Ｙ＾４
＋Ａ５・Ｙ＾５＋Ａ６・Ｙ＾６＋・・・                  （１）
ここで、奇数次のＡ１，Ａ３，Ａ５・・にゼロ以外の数値を代入した場合，主走査方向に非対称形状を有する。
いずれの実施例も偶数次のみを用いており，主走査方向に対称系である。
【００２６】
・副走査方向曲率式
副走査方向の曲率が主走査方向に応じて変化する式を（２）で示す。
Ｃｓ（Ｙ）＝１／Ｒｓ（０）＋Ｂ１・Ｙ＋Ｂ２・Ｙ＾２
＋Ｂ３・Ｙ＾３＋Ｂ４・Ｙ＾４＋Ｂ５・Ｙ＾５＋・・        （２）
ここで、Ｙの奇数乗係数のＡｓ１，Ａｓ３，Ａｓ５・・がゼロ以外の数値を代入した場合、副走査の曲率半径が主走査方向に非対称となる。
【００２７】
また、第１走査レンズの第２面は回転対称非球面であり、以下の式で表現される。
・回転対称非球面
光軸における近軸曲率半径をＲ，光軸からの主走査方向の距離をＹ，円錐常数をＫ，高次の係数をＡ１，Ａ２，Ａ３，Ａ４，Ａ５，Ａ６，・・とするとき、光軸方向のデプスをＸとして次の多項式で表している。
Ｘ＝（Ｙ＾２／Ｒ）／［１＋√｛１−（１＋Ｋ）（Ｙ／Ｒｍ）＾２｝
＋Ａ１・Ｙ＋Ａ２・Ｙ＾２＋Ａ３・Ｙ＾３＋Ａ４・Ｙ＾４
＋Ａ５・Ｙ＾５＋Ａ６・Ｙ＾６＋・・・・                      （３）
【００２８】
第１走査レンズ第１面の形状
Ｒｍ＝−２７９．９、Ｒｓ＝−６１．０
Ｋ：−２．９０００００＋０１
Ａ４：１．７５５７６５−０７
Ａ６：−５．４９１７８９−１１
Ａ８：１．０８７７００−１４
Ａ１０：−３．１８３２４５−１９
Ａ１２：−２．６３５２７６−２４
Ｂ１：−２．０６６３４７−０６
Ｂ２：５．７２７７３７−０６
Ｂ３：３．１５２２０１−０８
Ｂ４：２．２８０２４１−０９
Ｂ５：−３．７２９８５２−１１
Ｂ６：−３．２８３２７４−１２
Ｂ７：１．７６５５９０−１４
Ｂ８：１．３７２９９５−１５
Ｂ９： −２．８８９７２２−１８
Ｂ１０：−１．９８４５３１−１９
【００２９】
第１走査レンズ第面の形状
Ｒ＝−８３．６
Ｋ：−０．５４９１５７
Ａ４：２．７４８４４６−０７
Ａ６：−４．５０２３４６−１２
Ａ８：−７．３６６４５５−１５
Ａ１０：１．８０３００３−１８
Ａ１２：２．７２７９００−２３
【００３０】
第２走査レンズ第１面の形状
Ｒｍ＝６９５０、Ｒｓ＝１１０．９
Ｋ：０．００００００＋００
Ａ４：１．５４９６４８−０８
Ａ６：１．２９２７４１−１４
Ａ８：−８．８１１４４６−１８
Ａ１０：−９．１８２３１２−２２
Ｂ１：−９．５９３５１０−０７
Ｂ２：−２．１３５３２２−０７
Ｂ３：−８．０７９５４９−１２
Ｂ４：２．３９０６０９−１２
Ｂ５：２．８８１３９６−１４
Ｂ６：３．６９３７７５−１５
Ｂ７：−３．２５８７５４−１８
Ｂ８：１．８１４４８７−２０
Ｂ９：８．７２２０８５−２３
Ｂ１０：−１．３４０８０７−２３
【００３１】
第２走査レンズ第２面の形状
Ｒｍ＝７６６、Ｒｓ＝−６８．２２
Ｋ：０．００００００＋００
Ａ４：−１．１５０３９６−０７
Ａ６：１．０９６９２６−１１
Ａ８：−６．５４２１３５−１６
Ａ１０：１．９８４３８１−２０
Ａ１２：−２．４１１５１２−２５
Ｂ２：３．６４４０７９−０７
Ｂ４：−４．８４７０５１−１３
Ｂ６：−１．６６６１５９−１６
Ｂ８：４．５３４８５９−１９
Ｂ１０：−２．８１９３１９−２３
使用波長における走査レンズの屈折率は全て１．５２７２４である。
【００３２】
以下に光学配置を示す。
偏向面から第１走査レンズ第１面までの距離ｄ１：６４ｍｍ
第１走査レンズの中心肉厚ｄ２：２２．６ｍｍ
第１走査レンズ第２面から第２走査レンズ第１面までの距離ｄ３：７５．９ｍｍ
第２走査レンズの中心肉厚ｄ４：４．９ｍｍ
第２走査レンズ第２面から被走査面までの距離ｄ５：１５８．７ｍｍ
【００３３】
なお、屈折率１．５１４、厚さ１．９ｍｍの防音ガラス５が図１に示すように配置されており、防音ガラス５は偏向回転面内において主走査方向に平行な方向に対し１６ｄｅｇ傾いている。
かかる構成の光走査装置の光学特性を図８に示す。（ａ）は像面湾曲を示しており、点線は主走査像面湾曲を、実線は副走査像面湾曲を示している。（ｂ）は等速特性を示しており、実線はリニアリティを、点線はｆθ特性を示している。図８（ａ）（ｂ）からわかるように、光学特性が良好に補正されている。
【００３４】
本発明に係る光走査装置を適用した多色対応の画像形成装置は、各色に対応した光走査装置をマルチビームとしても対応可能である。これにより、ポリゴンミラーの回転数を増大することなく、高速書き込みを実現することができ、低消費電力、高耐久性、低騒音を実現することができる。
【図面の簡単な説明】
【００３５】
【図１】本発明に係る光走査装置の実施例を示す斜視図である。
【図２】従来の光走査装置の例を示す光源から偏向手段までの光学配置図であって、（ａ）は光源ユニットのチルトがない場合、（ｂ）光源ユニットのチルトがある場合を示す。
【図３】本発明に係る光走査装置の光源ユニットから偏向手段までの構成例を示す光学配置図である。
【図４】本発明に係る光走査装置におけるゴースト光低減に関して説明するための光学配置図である。
【図５】本発明に適用することができる光源ユニットから絞り開口までの構成例を示す光学配置図である。
【図６】本発明に適用することができる光源ユニットから絞り開口までの別の構成例を示す光学配置図である。
【図７】本発明に係る画像形成装置の実施例を模式的に示す正面図である。
【図８】本発明に係る光走査装置の光学特性の例を示す特性線図である。
【符号の説明】
【００３６】
１    光源としての半導体レーザ
２    カップリングレンズ
３    開口絞り
４    第１光学系としてのシリンドリカルレンズ
６    偏向手段
７    第１走査光学系
８    第２走査光学系
１０Ｙ  感光体
１０Ｍ  感光体
１０Ｃ  感光体
１０Ｋ  感光体
【図１】
2006259574.tif 000003
【図２】
2006259574.tif 000004
【図３】
2006259574.tif 000005
【図４】
2006259574.tif 000006
【図５】
2006259574.tif 000007
【図６】
2006259574.tif 000008
【図７】
2006259574.tif 000009
【図８】
2006259574.tif 000010